(57)【要約】【課題】スイッチング電源制御回路等の損傷を回避するともに、待機状態における消費電力を削減する。【解決手段】スイッチングトランス（１８）の一次巻線（１８ａ）に接続されたスイッチング素子（２６）を制御するスイッチング電源制御回路（２４）が、交流電源からの電圧を整流することで得られる整流電圧（Ｖ４４）を、第１のスイッチ回路（２１）を介してして受けるとともに、スイッチングトランス（１８）のドライブ巻線（１８ｃ）の出力電圧を整流することで得られる整流電圧（Ｖ４８）を、第２のスイッチ回路（２２）を介して受ける。スイッチングトランス（１８）の二次巻線（１８ｂ）の出力を整流することで得られる電圧により充電される蓄電デバイス（３８）から電力の供給を受ける待機制御回路（４０）が、スイッチ回路（２１、２２）を制御する。【選択図】図１
2015091203.tif 000002
【特許請求の範囲】
【請求項１】
交流電源からの交流電圧を整流して第１の整流電圧を出力する第１の整流回路と、
前記第１の整流電圧が供給される一次巻線と、二次巻線と、ドライブ巻線とを有するスイッチングトランスと、
前記二次巻線から出力される交流電圧を整流して、第２の整流電圧を出力する第２の整流回路と、
前記第２の整流電圧を入力として、蓄電し、直流電圧を出力する蓄電デバイスと、
前記蓄電デバイスから出力される直流電圧を電源として動作する待機制御回路と、
前記ドライブ巻線から出力される交流電圧を整流して、第３の整流電圧を出力する第３の整流回路と、
前記一次巻線に流れる電流をオン・オフするスイッチング素子と、
起動電圧入力端子及び駆動電圧入力端子を有し、前記スイッチング素子をオン・オフ制御するスイッチング電源制御回路と、
前記第１の整流電圧の前記起動電圧入力端子への印加をオン・オフする第１のスイッチ回路と、
前記第３の整流電圧の、前記駆動電圧入力端子への印加をオン・オフする第２のスイッチ回路とを有し、
前記スイッチング電源制御回路は、前記起動電圧入力端子に供給される前記第１の整流電圧の立ち上がりに応じて前記スイッチング素子に対する制御動作を開始し、前記駆動電圧入力端子に供給される前記第３の整流電圧を電源として前記スイッチング素子に対する制御動作を継続し、
前記待機制御回路は、
前記第１のスイッチ回路及び前記第２のスイッチ回路のオン・オフ状態を制御し、前記第１のスイッチ回路をオンさせることで、前記第１の整流電圧を、起動電圧として、前記起動電圧入力端子に印加し、
前記第２のスイッチ回路をオンさせることで、前記第３の整流電圧を、駆動電圧として、前記駆動電圧入力端子に印加する
ことを特徴とする電源供給装置。
【請求項２】
前記第１のスイッチ回路及び前記第２のスイッチ回路の各々は、
スイッチング素子と、
前記交流電源の電圧の立ち上がりを検出する立ち上がり検出回路を備え、
前記立ち上がり検出回路が前記交流電源の電圧の立ち上がりを検出したときに、前記スイッチング素子をオン状態に制御する
ことを特徴とする請求項１に記載の電源供給装置。
【請求項３】
前記第１の整流電圧が起動電圧用抵抗を介して前記起動電圧入力端子への印加されることを特徴とする請求項１又は２に記載の電源供給装置。
【請求項４】
前記第１のスイッチ回路及び前記第２のスイッチ回路の各々は、
当該スイッチ回路を制御するための制御信号がローレベルのときにオフ状態となるように構成されている
ことを特徴とする請求項１から３のいずれか一項に記載の電源供給装置。
【請求項５】
前記待機制御回路は、前記第１のスイッチ回路及び前記第２のスイッチ回路を制御するための制御信号として互いに独立した第１及び第２の制御信号を出力することを特徴とする請求項１から３のいずれか一項に記載の電源供給装置。
【請求項６】
前記待機制御回路は、
パワーオンオフ信号入力手段からの命令を受けて制御の内容を決定する動作決定回路と、
前記動作決定回路による決定を受けて、前記第１及び第２の制御信号を出力するタイミング決定回路とを有する
ことを特徴とする請求項５に記載の電源供給装置。
【請求項７】
前記スイッチング電源制御回路の前記起動電圧入力端子及び前記駆動電圧入力端子に前記起動電圧及び前記駆動電圧の印加を開始するときには、
前記タイミング決定回路は、まず前記第２のスイッチ回路をオン状態にしてから、
次に前記第１のスイッチ回路をオン状態にする
ことを特徴とする請求項６に記載の電源供給装置。
【請求項８】
前記スイッチング電源制御回路の前記起動電圧入力端子及び前記駆動電圧入力端子に前記起動電圧及び前記駆動電圧の印加を停止するときには、
前記タイミング決定回路は、まず前記第１のスイッチ回路をオフ状態にして、
次に前記第２のスイッチ回路をオフ状態にする
ことを特徴とする請求項６に記載の電源供給装置。
【請求項９】
前記第２のスイッチ回路をオン状態にしてから一定時間が経過した後、前記第１のスイッチ回路をオフ状態にする
ことを特徴とする請求項７に記載の電源供給装置。
【請求項１０】
請求項１から９のいずれか一項に記載の電源供給装置と、前記電源供給装置の前記第２の整流回路から出力される電力の供給を受ける負荷回路とを備え、
前記負荷回路が映像を表示するための処理を行なうものである
ことを特徴とする映像表示装置。
【発明の詳細な説明】
【技術分野】
【０００１】
本発明は、電源供給装置、並びに電源供給装置を備えた映像表示装置に関する。
【背景技術】
【０００２】
さまざまな電気機器の電源供給装置には、現在スイッチング電源回路が一般的に使用されている。たとえばリンギング・チョーク・コンバータ方式や擬似共振方式のスイッチング電源回路では、電気機器の待機状態（軽負荷時）において間欠的なスイッチング動作をさせることでスイッチング損失を低減し、電気機器の待機状態の消費電力を削減する方法が採用されることが多い。
【０００３】
また、最近は電気２重層コンデンサなどの蓄電デバイスの性能向上、制御ＩＣの低消費電力化とともに、待機状態の電気機器を蓄電デバイスから供給される電力だけで長時間動作させることが可能になってきている。
【０００４】
待機状態にラッチングリレーによって交流電圧の入力を遮断してスイッチング電源回路を停止させる構成も知られている（特許文献１）。この構成では、制御コイルに電流を流し続ける必要がないとはいえ、リレーを切り替えるために制御コイルに大きな電流を一定時間以上流す必要がある。そのために制御コイル駆動用に待機制御回路用とは別の蓄電デバイスが必要になる場合がある。
【０００５】
さらに、リレー切り換え音が発生するため、静音動作が要求される電気機器に適用することができない。また、ラッチングリレーは外部からの振動や衝撃などで接点状態が切り替わってしまうことがある。
【０００６】
また、電気機器の通常動作時に電圧を供給するメインスイッチング電源回路と、待機動作時に待機制御回路に電圧を供給する待機用スイッチング電源回路を備える構成も知られている（特許文献２）。この構成においては、電気機器が待機状態になったとき、待機用スイッチング電源回路から電圧を供給されている待機制御回路からの制御によって、メインスイッチング電源回路を停止させることとしている。
【０００７】
このメインスイッチング電源回路は、交流電源からの交流電圧を整流し、この整流電圧と、スイッチング電源用のパルストランスのドライブ巻線に発生する電圧を、スイッチング電源制御回路の単一の電源電圧入力端子に入力するように構成されている。そして電気機器が待機状態のときに、この電源電圧入力端子に入力される電圧を、メインスイッチング電源が停止する低い値にして、メインスイッチング電源を停止させる。
【０００８】
しかし、スイッチング電源制御回路は、入力される電圧と、スイッチング電源制御回路自体の負荷特性から、起動用の電源電圧入力端子と、駆動用の電源電圧入力端子が別個に設けられていることが多い。このように起動用と駆動用の電源電圧入力端子が設けられたスイッチング電源制御回路に対して、特許文献２の構成を適用した場合、どちらか一方の電源電圧入力端子からの電源入力しか制御することができず、スイッチング電源を完全に停止させることができない。さらに上記のようにスイッチング制御回路に複数の電源電圧入力端子が設けられている場合、スイッチング電源制御回路及びその周辺部品、さらにスイッチング素子自体に損傷を与えないように配慮した制御が必要になるが、特許文献２内の構成にはそのような配慮もなされていない。
【先行技術文献】
【特許文献】
【０００９】
【特許文献１】特許第３４７１２８３号公報（第１頁、図１、図１５、図１６、図１７）
【特許文献２】特許第４４６７３９３号公報（第１頁、図１、図２、図３）
【発明の概要】
【発明が解決しようとする課題】
【００１０】
本発明は、起動電圧入力端子と駆動電圧入力端子とを備えたスイッチング電源制御回路及びその周辺部品の損傷を回避するとともに、待機状態における消費電力を削減することができる電源供給装置を実現することを目的とする。
【課題を解決するための手段】
【００１１】
本発明の電源供給装置は、
交流電源からの交流電圧を整流して第１の整流電圧を出力する第１の整流回路と、
前記第１の整流電圧が供給される一次巻線と、二次巻線と、ドライブ巻線とを有するスイッチングトランスと、
前記二次巻線から出力される交流電圧を整流して、第２の整流電圧を出力する第２の整流回路と、
前記第２の整流電圧を入力として、蓄電し、直流電圧を出力する蓄電デバイスと、
前記蓄電デバイスから出力される直流電圧を電源として動作する待機制御回路と、
前記ドライブ巻線から出力される交流電圧を整流して、第３の整流電圧を出力する第３の整流回路と、
前記一次巻線に流れる電流をオン・オフするスイッチング素子と、
起動電圧入力端子及び駆動電圧入力端子を有し、前記スイッチング素子をオン・オフ制御するスイッチング電源制御回路と、
前記第１の整流電圧の前記起動電圧入力端子への印加をオン・オフする第１のスイッチ回路と、
前記第３の整流電圧の、前記駆動電圧入力端子への印加をオン・オフする第２のスイッチ回路とを有し、
前記スイッチング電源制御回路は、前記起動電圧入力端子に供給される前記第１の整流電圧の立ち上がりに応じて前記スイッチング素子に対する制御動作を開始し、前記駆動電圧入力端子に供給される前記第３の整流電圧を電源として前記スイッチング素子に対する制御動作を継続し、
前記待機制御回路は、
前記第１のスイッチ回路及び前記第２のスイッチ回路のオン・オフ状態を制御し、前記第１のスイッチ回路をオンさせることで、前記第１の整流電圧を、起動電圧として、前記起動電圧入力端子に印加し、
前記第２のスイッチ回路をオンさせることで、前記第３の整流電圧を、駆動電圧として、前記駆動電圧入力端子に印加する
ことを特徴とする。
【発明の効果】
【００１２】
本発明によれば、スイッチング電源制御回路の起動電圧入力端子への電圧印加を制御する第１のスイッチ回路と、駆動電圧入力端子への電圧印加を制御する第２のスイッチ回路とを備え、これらのスイッチ回路を制御する待機制御回路とを備えるので、スイッチング電源制御回路及びその周辺部品の損傷を回避するとともに、待機状態における消費電力を削減することができる。
【図面の簡単な説明】
【００１３】
【図１】本発明の実施の形態１の電源供給装置を示すブロック構成図である。
【図２】図１のスイッチ回路２１、２２として用い得るスイッチ回路の構成例を示す回路図である。
【図３】本発明の実施の形態２の電源供給装置を示すブロック構成図である。
【図４】（ａ）〜（ｄ）は、実施の形態２の電源供給装置を備える電気機器が待機状態から通常動作状態に移行するときの、スイッチ回路を制御する信号の変化の例を示すタイミング波形図である。
【図５】（ａ）〜（ｄ）は、実施の形態２の電源供給装置を備える電気機器が通常動作状態から待機状態に移行するときの、スイッチ回路を制御する信号の変化の例を示すタイミング波形図である。
【図６】（ａ）〜（ｄ）は、実施の形態２の電源供給装置を備える電気機器が待機状態から通常動作状態に移行するときの、スイッチ回路を制御する信号の変化の異なる例を示すタイミング波形図である。
【図７】（ａ）〜（ｄ）は、実施の形態２の電源供給装置を備える電気機器が通常動作状態から待機状態に移行するときの、スイッチ回路を制御する信号の変化の異なる例を示すタイミング波形図である。
【発明を実施するための形態】
【００１４】
実施の形態１．
図１は、本発明の実施の形態１の電源供給装置１０を、交流電源４、負荷回路６、及びパワーオンオフ信号入力手段８とともに示す。
図１に示す電源供給装置１０は、電気機器２の一部を成し、外部の交流電源４からの電源の供給を受けて、電気機器２の各部に直流電圧を供給するものである。図１には、電源供給装置１０から電源の供給を受ける部分が負荷回路６として示されている。また、電源供給装置１０には、電気機器２のパワーオンオフ信号入力手段８からパワーオンオフに関する信号が入力される。
【００１５】
電源供給装置１０は、スイッチング電源で構成されたものであり、ダイオードブリッジ１３と、コンデンサ１４と、起動電圧用抵抗１６と、スイッチングトランス１８と、第１のスイッチ回路２１と、第２のスイッチ回路２２と、スイッチング電源制御回路２４と、スイッチング素子２６と、ダイオード２８と、コンデンサ２９と、ダイオード３１と、コンデンサ３２と、ダイオード３６と、蓄電デバイス３８と、待機制御回路４０とを有する。
スイッチングトランス１８は、一次巻線１８ａと、二次巻線１８ｂと、ドライブ巻線１８ｃとを有する。
【００１６】
ダイオードブリッジ１３は、一対の交流側端子が交流電源４に接続され、正極端子１３ａがコンデンサ１４の正極端子、起動電圧用抵抗１６の一端（第１の端子）１６ａ、スイッチングトランス１８の一次巻線１８ａの第１の端子１８ａａ、第１のスイッチ回路２１の立ち上がり検出端子２１ｐ１、及び第２のスイッチ回路２２の立ち上がり検出端子２２ｐ１に接続されている。
起動電圧用抵抗１６の他端（第２の端子）１６ｂは、第１のスイッチ回路２１の入力端子２１ｉに接続されている。
第１のスイッチ回路２１の出力端子２１ｏは、スイッチング電源制御回路２４の起動電圧入力端子２４ａに接続されている。
【００１７】
スイッチングトランス１８の一次巻線１８ａの第２の端子１８ａｂはスイッチング素子２６の第１の端子２６ａに接続されている。
スイッチングトランス１８のドライブ巻線１８ｃの第１の端子１８ｃａは、ダイオード２８のアノードに接続され、ダイオード２８のカソードは、コンデンサ２９の正極端子、及び第２のスイッチ回路２２の入力端子２２ｉに接続されている。
【００１８】
第２のスイッチ回路２２の出力端子２２ｏは、スイッチング電源制御回路２４の駆動電圧入力端子２４ｂに接続されている。
スイッチング電源制御回路２４の制御出力端子２４ｃは、スイッチング素子２６の制御端子２６ｃに接続されている。
スイッチング素子２６は、例えばＦＥＴで構成され、そのゲート端子が制御端子２６ｃを構成する。
【００１９】
ダイオードブリッジ１３の負極端子１３ｂ、コンデンサ１４の負極端子、スイッチング素子２６の第２の端子２６ｂ、ドライブ巻線１８ｃの第２の端子１８ｃｂ、コンデンサ２９の負極端子、第１のスイッチ回路２１の第１のグランド端子２１ｇ１、及び第２のスイッチ回路２２の第１のグランド端子２２ｇ１は、電源回路一次側グランドＧＤ１に接続されている。
【００２０】
スイッチングトランス１８の二次巻線１８ｂの第１の端子１８ｂａは、ダイオード３１のアノードに接続され、ダイオード３１のカソードは、コンデンサ３２の正極端子、負荷回路６、及びダイオード３６のアノードに接続されている。
ダイオード３６のカソードは、蓄電デバイス３８の正極端子、待機制御回路４０の電源入力端子４０ｐ、第１のスイッチ回路２１の電源入力端子２１ｐ２、第２のスイッチ回路２２の電源入力端子２２ｐ２、及びパワーオンオフ信号入力手段８の電源入力端子８ｐに接続されている。
【００２１】
待機制御回路４０は、パワーオンオフ信号入力手段８から命令を受ける。
待機制御回路４０の制御信号出力端子４０ｃは、第１のスイッチ回路２１の制御信号入力端子２１ｃ、及び第２のスイッチ回路２２の制御信号入力端子２２ｃに接続されている。
【００２２】
二次巻線１８ｂの第２の端子１８ｂｂ、コンデンサ３２の負極端子、蓄電デバイス３８の負極端子、第１のスイッチ回路２１の第２のグランド端子２１ｇ２、及び第２のスイッチ回路２２の第２のグランド端子２２ｇ２は、電源回路二次側グランドＧＤ２に接続されている。
【００２３】
ダイオードブリッジ１３とコンデンサ１４とで、交流電源４からの交流電圧を整流し、平滑化して、整流電圧Ｖ４４を出力する第１の整流回路４４が構成されている。
ダイオード３１とコンデンサ３２とで、二次巻線１８ｂからの交流電圧を整流し、平滑化して、負荷電圧Ｖ４６を発生する第２の整流回路（負荷電圧発生用整流回路）４６が構成されている。
ダイオード２８とコンデンサ２９とで、ドライブ巻線１８ｃからの交流電圧を整流し、平滑化して、駆動電圧Ｖ４８を発生する第３の整流回路（駆動電圧発生用整流回路）４８が構成されている。
【００２４】
第１の整流回路４４による整流及び平滑化で生成される直流電圧（第１の整流電圧）Ｖ４４は、スイッチングトランス１８の一次巻線１８ａに入力され、スイッチング素子２６によってスイッチングされる。
これにより、スイッチングトランス１８の二次巻線１８ｂに誘起された交流電圧は、第２の整流回路４６で整流され平滑化されて直流電圧となり、負荷電圧Ｖ４６として負荷回路６に供給される。
負荷回路６は例えば、映像を表示するための処理を行うものであり、その場合、負荷回路６と電源供給装置１０とを含む電気機器２によって映像表示装置が構成される。
【００２５】
第２の整流回路４６から出力される直流電圧Ｖ４６は、ダイオード３６を介して蓄電デバイス３８に供給され、蓄電デバイス３８に電力が蓄えられる。
蓄電デバイス３８は、例えば電気二重層コンデンサーで構成されている。
蓄電デバイス３８に蓄えられた電力は待機制御回路４０、第１のスイッチ回路２１、第２のスイッチ回路２２、及びパワーンオンオフ信号入力手段８に供給される。
【００２６】
スイッチング素子２６はスイッチング電源制御回路２４によって制御されてスイッチング動作する。
スイッチング電源制御回路２４は上記のように、起動電圧入力端子２４ａと、駆動電圧入力端子２４ｂとを備えており、
起動電圧入力端子２４ａには、第１の整流回路４４から出力される整流電圧Ｖ４４が、起動電圧用抵抗１６及び第１のスイッチ回路２１を介して起動電圧として印加される。
駆動電圧入力端子２４ｂには、第３の整流回路４８から出力される直流電圧Ｖ４８が、第２のスイッチ回路２２を介して駆動電圧として印加される。
第３の整流回路４８から供給される駆動電圧Ｖ４８は、第１の整流回路４４から供給される起動電圧よりも低い。
【００２７】
電圧Ｖ４４は、交流電源１からの電圧供給の開始時に、スイッチング電源制御回路２４に動作を開始させるために利用され、電圧Ｖ４８は、開始された動作を継続させるために利用される。即ち、交流電源４からの電圧供給の開始時には、該電圧供給開始による電圧変化に応じてスイッチング電源制御回路２４内に、低電位、小電流の電圧を一時的に発生させて、これにより、スイッチング素子２６のオンオフ制御を開始させる。この結果、スイッチング電源の発振が開始する。
【００２８】
該発振の開始後は、スイッチングトランス１８のドライブ巻線１８ｃに誘起される電圧を整流することで得られる、定常的な低電位、大電流の電圧によって、スイッチング電源制御回路２４にオンオフ制御を継続させる。
電圧Ｖ４４は高電位であることから、仮に、整流電圧Ｖ４４から、スイッチング電源制御回路２４の定常動作に必要な低電位、大電流の電力を生成しようとすると、ＤＣ−ＤＣコンバータのような、さらなるスイッチング電源を付加することが必要になるが、そのような構成は、部品点数が多く、コストが高いことから、用途によっては、適切ではない。本発明では、電圧Ｖ４４を起動電圧用抵抗１６を介してスイッチング電源回路２４に供給しており、複雑な回路を用いることなく、簡単な回路で起動を可能にしている。
【００２９】
第１のスイッチ回路２１及び第２のスイッチ回路２２の状態は、待機制御回路４０からの制御信号Ｄ４０によって制御される。
制御信号Ｄ４０は第１の状態例えばハイレベルのときにスイッチ回路２１、２２をオン状態（短絡状態）にし、第２の状態例えばローレベルのときにスイッチ回路２１、２２をオフ状態（開放状態）にする。
このように、制御信号Ｄ４０は、第１の状態のときは、スイッチ回路２１、２２をオンさせるための制御信号として作用し、第２の状態のときは、スイッチ回路２１、２２をオフさせるための制御信号として作用する。
【００３０】
待機制御回路４０には、パワーオンオフ信号入力手段８から、『通常動作状態から待機状態への移行』を指示する命令Ｄ８ｗ、及び『待機状態から通常動作状態への移行』を指示する命令Ｄ８ｎが入力される。
【００３１】
『通常動作状態から待機状態への移行』を指示する命令Ｄ８ｗがパワーオンオフ信号入力手段８から待機制御回路４０に入力されたときは、待機制御回路４０は、第１のスイッチ回路２１及び第２のスイッチ回路２２をオフ状態にするため、制御信号Ｄ４０を第２の状態にする（オフ状態にするための制御信号を出力する）。
【００３２】
第１のスイッチ回路２１及び第２のスイッチ回路２２がオフ状態になると、スイッチング電源制御回路２４には、起動電圧入力端子２４ａ及び駆動電圧入力端子２４ｂのいずれにも電圧が供給されなくなり、動作を停止し、スイッチング素子２６をドライブ（オンオフ制御）しなくなる。そのため交流電源４からはダイオードブリッジ１３及び整流コンデンサ１４の漏れ電流以外は電流が流れなくなり、その結果、待機状態の電気機器２の消費電力が大きく抑制される。
【００３３】
電気機器２が待機状態のとき、待機制御回路４０は蓄電デバイス３８からの電力供給によって、第１のスイッチ回路２１及び第２のスイッチ回路２２を制御し続ける。
例えば蓄電デバイス３８から供給される電圧値を監視する機能を待機制御回路４０に備えておき、蓄電量が低下したときに蓄電デバイス３８から供給される電圧値も低下するので、上記の監視機能により、該電圧値が低下したことを検出して、一時的に第１のスイッチ回路２１及び第２のスイッチ回路２２をオン状態にしてスイッチング電源を動作させ、蓄電デバイス３８を充電するように動作させて制御し続けることが可能である。
【００３４】
次に『待機状態から通常動作状態への移行』を指示する命令Ｄ８ｎがパワーオンオフ信号入力手段８から待機制御回路４０に入力されたときは、待機制御回路４０は第１のスイッチ回路２１及び第２のスイッチ回路２２をオン状態にするため、制御信号Ｄ４０を第１の状態にする（スイッチ回路をオン状態にするための制御信号を出力する）。
【００３５】
第１のスイッチ回路２１がオン状態になると、スイッチング電源制御回路２４の起動電圧入力端子２４ａに起動電圧が入力され、スイッチング電源制御回路２４は、スイッチング素子２６のオンオフ制御を開始する。さらに第２のスイッチ回路２２がオン状態になると、駆動電圧が駆動電圧入力端子２４ｂに入力されてスイッチング電源制御回路２４が駆動電圧により動作して、スイッチング素子２６のオンオフ制御を継続することができる状態となり、スイッチング電源は動作を継続し、電気機器２は通常動作状態になる。
【００３６】
図２は図１のスイッチ回路２１、２２として用い得るスイッチ回路の例を示す。図示の回路は、スイッチ素子が通常（即ち制御信号がローレベルのとき、又は入力されないときに）オフ状態となるように構成されたものであり、このような回路を用いると、電気機器２が待機状態のときに、消費電力をより少なくすることができる。
【００３７】
図２のスイッチ回路が図１の第１のスイッチ回路２１として用いられる場合には、立ち上がり検出端子Ｖｐ１、電源入力端子Ｖｐ２、及び制御信号入力端子Ｃｔは、それぞれ、第１のスイッチ回路２１の立ち上がり検出端子２１ｐ１、電源入力端子２１ｐ２、及び制御信号入力端子２１ｃを構成し、それぞれ、図１の整流電圧Ｖ４４、蓄電電圧Ｖ３８、及び制御信号Ｄ４０を受けるように接続され、入力端子Ｓｉ及び出力端子Ｓｏは、それぞれ第１のスイッチ回路２１の入力端子２１ｉ及び出力端子２１ｏを構成し、それぞれ図１の起動電圧用抵抗１６の第２の端子１６ｂ、及びスイッチング電源制御回路２４の起動電圧入力端子２４ａに接続される。
【００３８】
図２のスイッチ回路が図１の第２のスイッチ回路２２として用いられる場合には、立ち上がり検出端子Ｖｐ１、電源入力端子Ｖｐ２、及び制御信号入力端子Ｃｔは、それぞれ、第２のスイッチ回路２２の立ち上がり検出端子２２ｐ１、電源入力端子２２ｐ２、及び制御信号入力端子２２ｃを構成し、それぞれ、図１の整流電圧Ｖ４４、蓄電電圧Ｖ３８、及び制御信号Ｄ４０を受けるように接続され、入力端子Ｓｉ及び出力端子Ｓｏは、それぞれ第２のスイッチ回路２２の入力端子２２ｉ、及び出力端子２２ｏを構成し、それぞれ図１のダイオード２８のカソード、及びスイッチング電源制御回路２４の駆動電圧入力端子２４ｂに接続される。
【００３９】
図２に示されたスイッチ回路の主たるスイッチング素子（入力端子Ｓｉ、出力端子Ｓｏ間をオンオフするスイッチング素子）はＰＮＰ型トランジスタＴｒ１で構成されている。トランジスタＴｒ１のエミッタは入力端子Ｓｉに、コレクタは出力端子Ｓｏにそれぞれ接続されている。
【００４０】
電源入力端子Ｖｐ２（蓄電デバイス３８の出力電圧Ｖ３８を受けるように接続される）には、抵抗Ｒ１の一端が接続され、抵抗Ｒ１の他端は、フォトＭＯＳリレーＰｍｒの発光ダイオードＬｄのアノードに接続されている。
発光ダイオードＬｄのカソードは、ＮＰＮトランジスタＴｒ２のコレクタに接続され、トランジスタＴｒ２のエミッタは電源回路二次側グランドＧＤ２に接続されている。
制御信号入力端子Ｃｔ（待機制御回路４０からの制御信号Ｄ４０が入力される）には、抵抗Ｒ２の一端が接続され、抵抗Ｒ２の他端はトランジスタＴｒ２のベースに接続されている。
【００４１】
トランジスタＴｒ１のベースは、抵抗Ｒ３の一端に接続され、抵抗Ｒ３の他端は、フォトＭＯＳリレーＰｍｒのＭＯＳスイッチ素子Ｐｔの第１の端子Ｐｔａに接続され、ＭＯＳスイッチ素子Ｐｔの第２の端子Ｐｔｂは電源回路一次側グランドＧＤ１に接続されている。
フォト−ＭＯＳリレーＰｍｒとしては、発光ダイオードＬｄに電流が流れないときにＭＯＳスイッチ素子Ｐｔがオフ状態になる特性の素子が使用される。
【００４２】
抵抗Ｒ４はその一端が入力端子Ｓｉに接続され、他端がトランジスタＴｒ１のベースに接続されている。
抵抗Ｒ５はその一端がトランジスタＴｒ１のベースに、従って、抵抗Ｒ４の他端に接続され、他端がＮＰＮトランジスタＴｒ３のコレクタに接続されている。
トランジスタＴｒ３のエミッタは電源回路一次側グランドＧＤ１に接続されている。
立ち上がり検出端子Ｖｐ１（図１の整流電圧Ｖ４４を受けるように接続される）には、コンデンサＣ１の一端が接続され、コンデンサＣ１の他端は抵抗Ｒ６の一端に接続され、抵抗Ｒ６の他端は、トランジスタＴｒ３のベースに接続されている。
抵抗Ｒ７は、その一端がトランジスタＴｒ３のベースに、従って、抵抗Ｒ６の他端に接続され、他端が電源回路一次側グランドＧＤ１に接続されている。
【００４３】
コンデンサＣ１、抵抗Ｒ６及びＲ７、並びにトランジスタＴｒ３により交流電源立ち上がり検出回路５２が構成されている。交流電源立ち上がり検出回路５２は、交流電源４の立ち上がりを検出して、トランジスタＴｒ１のベース電位を低下させ、トランジスタＴｒ１をオン状態にする。
立ち上がり検出回路５２の抵抗Ｒ６、Ｒ７は起動電圧用抵抗１６と協働して電圧Ｖ４４を分圧した上でトランジスタＴｒ３のベースに供給している。但し、ダイオードブリッジ１３の正極端子１３ａとトランジスタＴｒ３のベースの間にコンデンサＣ１が直列に挿入されているので、電圧Ｖ４４に変化がない限りトランジスタＴｒ３のベースとエミッタは同電位でありトランジスタＴｒ３のコレクタ−エミッタ間もオフ状態である。
【００４４】
フォト−ＭＯＳリレーＰｍｒは、制御信号Ｄ４０がローレベルのとき、或いは制御信号Ｄ４０が入力されないとき、ＭＯＳスイッチ素子Ｐｔがオフ状態であるので、
トランジスタＴｒ１のベースとエミッタは同電位であり、トランジスタＴｒ１のエミッタ−コレクタ間はオフ状態である。
【００４５】
パワーオンオフ信号入力手段８からの『待機状態から通常動作状態への移行』を指示する命令Ｄ８ｎに応じて、待機制御回路４０から出力される制御信号Ｄ４０が第１の状態（ハイレベル）に変わると、スイッチ回路２１、２２の制御入力端子２１ｃ、２２ｃを構成する制御入力端子Ｃｔがハイレベルになり、トランジスタＴｒ２はオン状態になる。
トランジスタＴｒ２がオン状態になると、蓄電デバイス３８からフォト−ＭＯＳリレーＰｍｒの発光ダイオードＬｄに電流が流れる。
発光ダイオードＬｄに電流が流れるとフォト−ＭＯＳリレーＰｍｒのＭＯＳスイッチ素子Ｐｔはオン状態になる。するとトランジスタＴｒ１のベース電位はエミッタ電位よりも低くなり、トランジスタＴｒ１はオン状態になる。
この動作によって、図２のスイッチ回路で構成される第１のスイッチ回路２１及び第２のスイッチ回路２２はオン状態になり、スイッチング電源制御回路２４には起動電圧及び駆動電圧が印加されて、スイッチング電源は動作を開始し、電気機器２は通常動作状態になる。
【００４６】
パワーオンオフ信号入力手段８からの『通常動作状態から待機状態への移行』を指示する命令Ｄ８ｗに応じて、待機制御回路４０から出力される制御信号Ｄ４０が第２の状態（ローレベルｚ）に変わると、スイッチ回路２１、２２の制御入力端子２２ｃ、２２ｃを構成する制御入力端子Ｃｔがハイレベルとなり、トランジスタＴｒ２はオフ状態になる。
トランジスタＴｒ２がオフ状態になると、フォト−ＭＯＳリレーＰｍｒの発光ダイオードＬｄに電流が流れなくなり、フォト−ＭＯＳリレーＰｍｒのＭＯＳスイッチ素子Ｐｔはオフ状態になる。
するとトランジスタＴｒ１のベース電位とエミッタ電位は同電位になりトランジスタＴｒ１のエミッタ−コレクタ間がオフ状態になる。
この動作によって、第１のスイッチ回路２１及び第２のスイッチ回路２２はオフ状態になり、スイッチング電源制御回路２４には起動電圧及び駆動電圧が印加されなくなって、スイッチング電源は動作を停止し、電気機器２は待機状態になる。
【００４７】
この待機状態のとき、蓄電デバイス３８からスイッチ回路２１、２２に電流が流れず、スイッチ回路２１、２２がオフ状態に制御されているため、蓄電デバイス３８の電力の保持時間をより長くすることができ、消費電力をより少なくすることができる。
【００４８】
交流電源立ち上がり検出回路５２を設けることにより、第１のスイッチ回路２１、第２のスイッチ回路２２の消費電力をより少なくすることができる。
【００４９】
例えば電気機器２が交流電源４にいまだ接続されたことのない新製品であったり、長時間の停電により蓄電デバイス３８が放電してしまっているとき、蓄電デバイス３８は未充電状態、あるいは充電不足状態である。交流電源立ち上がり検出回路５２が設けられていないとすれば、電気機器２が交流電源４に接続されても、蓄電デバイス３８から電力が供給されず、待機制御回路４０は制御信号Ｄ４０を出力する（ハイレベルにする）ことができない。その結果、電気機器２は『待機状態から通常動作状態へ移行』することができない。
【００５０】
交流電源立ち上がり検出回路５２が設けられている場合、電気機器２が交流電源４に接続されると、整流電圧Ｖ４４が上昇することでコンデンサＣ１が充電される間、抵抗Ｒ６、Ｒ７に電流が流れ、トランジスタＴｒ３がオン状態になる。するとトランジスタＴｒ１のベース電位がエミッタ電位より低くなり、トランジスタＴｒ１はフォト−ＭＯＳリレーＰｍｒの状態に関係なくオン状態になる。
【００５１】
このようにして、図２のスイッチ回路で構成される第１のスイッチ回路２１及び第２のスイッチ回路２２がともにオン状態になり、スイッチング電源制御回路２４に起動電圧と駆動電圧が印加される。この結果、スイッチング電源は動作を開始し、充電デバイス３８が充電され、待機制御回路４０に電源電圧が供給され、その後は、待機制御回路４０は、制御信号Ｄ４０を出力する（ハイレベルにする）ことが可能となり、この結果、第１のスイッチ回路２１及び第２のスイッチ回路２２の制御を安定して行うことが可能となる。
【００５２】
上記の交流電源立ち上がり検出回路５２は、整流電圧Ｖ４４が供給されるノード（起動電圧用抵抗１６の第２の端子１６ｂ）に接続されているが、交流電源立ち上がり検出回路５２の接続先は、整流電圧Ｖ４４が供給されるノード以外のノードであっても、交流電源４からの電圧入力によって電位が変化するノードであれば良い。
【００５３】
また、図２のトランジスタＴｒ１、Ｔｒ２、Ｔｒ３などはバイポーラトランジスタでなくとも、他のスイッチング素子でも良く、例えばＦＥＴであってもよく、スイッチング素子の選択によっては制御電流をさらに削減でき、その結果、電気機器２の通常動作状態の消費電力を削減する効果を得ることができる。例えば、トランジスタＴｒ１の代わりに、ＰチャンネルＭＯＳＦＥＴを用い、トランジスタＴｒ２、Ｔｒ３の代わりに、ＮチャンネルＭＯＳＦＥＴを用いれば、バイポーラトランジスタの場合に流していた電流を削減することができる。
【００５４】
また、上記の実施の形態では、フォトーＭＯＳリレーを用いて、電気的に分離され、信号が伝搬できる素子が構成されているが、代わりにフォトトランジスタを含むフォトカプラを用いても良い。
【００５５】
さらに、第１のスイッチ回路２１及び第２のスイッチ回路２２の一方又は双方を、通常オン状態になる（制御信号が与えられないとき、或いは制御信号Ｄ４０がローレベルのときにオン状態になる）ように構成しても良い。その場合には交流電源立ち上がり検出回路５２を省略することができる。
一方で、電気機器２が待機状態のときスイッチ回路をオフ状態に保つ制御電流が必要になることから、第１のスイッチ回路２１及び第２のスイッチ回路２２を、通常オフ状態になるように構成したときと比較して電気機器２の待機状態における蓄電デバイス３８の電力の保持時間が幾分短くなるが、そのような構成であっても、待機状態の電気機器２のスイッチング電源を停止することで消費電力を抑制できる効果は得られる。
【００５６】
実施の形態２．
図３は、本発明の実施の形態２の電源供給装置１０を示す。
図３の電源供給装置１０は、図１の電源供給装置１０と概して同じであるが、図１の待機制御回路４０の代わりに、待機制御回路６０が設けられている。
待機制御回路６０は、第１及び第２のスイッチ回路２１、２２に対して独立した第１及び第２の制御信号Ｄ６０ａ、Ｄ６０ｂを出力する点で、待機制御回路４０と異なる。
【００５７】
図３の待機制御回路６０は、動作決定回路６１とタイミング決定回路６２とを有する。
動作決定回路６１は、パワーオンオフ信号入力手段８からの『通常動作状態から待機状態への移行』を指示する命令Ｄ８ｗ及び『待機状態から通常動作状態への移行』を指示する命令Ｄ８ｎに応じて、スイッチ回路２１、２２をオンさせるかオフさせるかを決定し、動作指示信号Ｄ６１を出力する。
動作指示信号Ｄ６１は例えば第１の状態例えばハイレベル、及び第２の状態例えばローレベルのいずれかを取り得るものであり、第１の状態のとき、電機機器を通常動作状態に移行させるため、スイッチ回路２１、２２をオン状態にすべきことを示し、第２の状態のとき、電機機器を待機状態に移行させるため、スイッチ回路２１、２２をオフ状態にすべきことを示す。このように、動作指示信号Ｄ６１は、第１の状態のときスイッチ回路２１、２２をオン状態にすることを指示する動作指示信号として作用し、第２の状態のときスイッチ回路２１、２２をオフ状態にすることを指示する動作指示信号として作用する。
【００５８】
タイミング決定回路６２は、動作指示信号Ｄ６１に応じて、制御信号Ｄ６０ａ、Ｄ６０ｂの状態を切り替える。制御信号Ｄ６０ａ、Ｄ６０ｂはともに第１の状態、例えばハイレベルのときにそれぞれスイッチ回路２１、２２をオンさせ、第２の状態、例えばローレベルのときにそれぞれスイッチ回路２１、２２をオフさせる。制御信号Ｄ６０ａ、Ｄ６０ｂは互いに独立したものであり、その立上がり及び立下りのタイミングも互いに独立に制御される。従って、スイッチ回路２１、２２のオン・オフ動作も独立に制御される。
このように、制御信号Ｄ６０ａ、Ｄ６０ｂの各々は、第１の状態のときは、対応するスイッチ回路をオンさせるための制御信号として作用し、第２の状態のときは、対応するスイッチ回路をオフさせるための制御信号として作用する。
【００５９】
パワーオンオフ信号入力手段８から、『通常動作状態から待機状態への移行』を指示する命令Ｄ８ｗが入力されると、動作決定回路６１は、動作指示信号Ｄ６１を第２の状態にし（即ち、スイッチ回路２１、２２をオフさせるべきことを示す信号を出力し）、タイミング決定回路６２は、動作指示信号Ｄ６１が第２の状態になったことに応じて、制御信号Ｄ６０ａ、Ｄ６０ｂを第２の状態（ローレベル）に切り替える。このローレベルへの切替えのタイミングは、互いに独立に決定可能なものであり、これにより、第１のスイッチ回路２１及び第２のスイッチ回路２２が独立したタイミングでオフ状態になる。
【００６０】
パワーオンオフ信号入力手段８から、『待機状態から通常動作状態への移行』を指示する命令Ｄ８ｎが入力されると、動作決定回路６１は、動作指示信号Ｄ６１を第１の状態にし（スイッチ回路２１、２２をオンさせるべきことを示す信号を出力し）、タイミング決定回路６２は、動作指示信号Ｄ６１が第１の状態になったことに応じて、制御信号Ｄ６０ａ、Ｄ６０ｂを第１の状態（ハイレベル）に切り替える。このハイレベルへの切替えのタイミングは、互いに独立に決定可能なものであり、これにより、第１のスイッチ回路２１及び第２のスイッチ回路２２が独立したタイミングでオン状態になる。
【００６１】
図３のスイッチ回路２１、２２の各々としても、図２に示すスイッチ回路を用いることができる。
図３のスイッチ回路２１として図２に示すスイッチ回路を用いる場合には、第１の制御信号Ｄ６０ａが、図２の制御信号入力端子Ｃｔに供給され、図３のスイッチ回路２２として図２に示すスイッチ回路を用いる場合には、第２の制御信号Ｄ６０ｂが、図２の制御信号入力端子Ｃｔに供給される。
上記以外の点では、スイッチ回路の接続は実施の形態１について述べたのと同じである。
【００６２】
図４（ａ）〜（ｄ）は本発明の実施の形態２において、電気機器２を『待機状態から通常動作状態へ移行』（スイッチング電源を停止状態から動作状態へ移行）させるときに、動作決定回路６１からタイミング決定回路６２に入力される動作指示信号Ｄ６１と、タイミング決定回路６２から第１のスイッチ回路２１に入力される制御信号Ｄ６０ａと、タイミング決定回路６２から第２のスイッチ回路２２に入力される制御信号Ｄ６０ｂと、電気機器２の状態を示す。
【００６３】
上記のように、スイッチング電源制御回路２４は、電源供給の開始時に交流電源４からの電圧を整流することで得られた電圧Ｖ４４を起動電圧として受けて、その立ち上がりを検出して、スイッチング素子２６のオンオフ制御を開始し、その後電圧Ｖ４８を駆動電圧として受けて定常的な動作を継続する。
【００６４】
スイッチング電源制御回路２４の起動電圧と駆動電圧には上記のような差異があることから、電気機器２を『待機状態から通常動作状態へ移行』（スイッチング電源を停止状態から動作状態へ移行）させるときに、起動電圧がスイッチング電源制御回路２４に印加され、その直後に駆動電圧が印加されるように制御しないと、電気機器２が『待機状態から通常動作状態に移行』することができないだけでなく、起動電圧入力端子２４ａに駆動用の大電流が流れて、スイッチング電源制御回路２４、スイッチング素子２６、起動電圧入力端子２４ａ、及び起動電圧用抵抗１６に損傷が与えられる可能性がある。
【００６５】
そこで電気機器２を『待機状態から通常動作状態へ移行』することを指示する命令Ｄ８ｎがパワーオンオフ入力手段８から入力され、動作決定回路６１がスイッチ回路２１、２２をオン状態すべきことを示す信号を出力すると（図４（ａ）に示すように、時刻ｔ１１に、動作指示信号Ｄ６１を第１の状態（ハイレベル）にすると）、
タイミング決定回路６２は、第２の制御信号Ｄ６０ｂを第１の状態に変化させ（図４（ｃ）に示すように時刻ｔ１２にローレベルからハイレベルに変化させ）、これにより、第２のスイッチ回路２２をオン状態にし、これにより、駆動電圧を直ちに供給開始できるようにする。
タイミング決定回路６２は次に、第１のスイッチ回路２１をオン状態にするため、第１の制御信号Ｄ６０ａを第１の状態に変化させ（図４（ｂ）に示すように時刻ｔ１３にローレベルからハイレベルへ変化させ）、これにより、起動電圧を供給できるようにする。
【００６６】
動作決定回路６１及びタイミング決定回路６２を図３のように構成し、制御信号Ｄ６０ａ、Ｄ６０ｂを図４（ａ）〜（ｃ）に示すタイミングでハイレベルに変化させることにより、
第１のスイッチ回路２１及び第２のスイッチ回路２２を適切に制御することができ、スイッチング電源制御回路２４、スイッチング素子２６、起動電圧入力端子２４ａ、及び起動電圧用抵抗１６に損傷を与えずに、電気機器２を『待機状態から通常動作状態へ移行』させることができる。
【００６７】
なお、図４（ａ）〜（ｃ）の信号の極性は図２のスイッチ回路が用いられる場合に適切なものであり、信号の極性については実際に適用されるスイッチ回路の構成に合わせて変化させる必要があり、本発明は、図４（ａ）〜（ｃ）に示される信号の極性には限定されない。但し、信号の極性を変える場合にも、信号レベルの変化の順序、タイミングは、図４（ａ）〜（ｃ）を参照して説明したのと同様とすべきである。
【００６８】
図５（ａ）〜（ｃ）は本発明の実施の形態２において、電気機器２を『通常動作状態から待機状態へ移行』（スイッチング電源を動作状態から停止状態へ移行）させるときに、動作決定回路６１からタイミング決定回路６２に入力される動作指示信号Ｄ６１と、タイミング決定回路６２から第１のスイッチ回路２１に入力される制御信号Ｄ６０ａと、タイミング決定回路６２から第２のスイッチ回路２２に入力される制御信号Ｄ６０ｂと、電気機器２の状態を示す。
【００６９】
上記のように、スイッチング電源制御回路２４は、電源供給の開始時に交流電源４からの電圧を整流することで得られた電圧Ｖ４４を起動電圧として受けて、その立ち上がりを検出して、スイッチング素子２６のオンオフ制御を開始し、その後電圧Ｖ４８を駆動電圧として受けて定常的な動作を継続する。
【００７０】
スイッチング電源制御回路２４の起動電圧と駆動電圧には上記のような差異があることから、電気機器２を『通常動作状態から待機状態へ移行』（スイッチング電源を動作状態から停止状態へ移行）させるときに、スイッチング電源制御回路２４への起動電圧の入力を停止してから、駆動電圧の入力が停止するように制御しないと、スイッチング電源が通常動作状態を継続しようとして、起動電圧入力端子２４ａに大電流が流れ、スイッチング電源制御回路２４、スイッチング素子２６、起動電圧入力端子２４ａ、及び起動電圧用抵抗１６に損傷が与えられる可能性がある。
【００７１】
そこで電気機器２を『通常動作状態から待機状態へ移行』するための命令Ｄ８ｗがパワーオンオフ入力手段８から入力され、動作決定回路６１がスイッチ回路２１、２２をオフ状態すべきことを示す信号を出力すると（図５（ａ）に示すように、時刻ｔ２１に動作指示信号Ｄ６１を第２の状態（ローレベル）にすると）、タイミング決定回路６２は、まず第１のスイッチ回路２１をオフ状態にするため、第１の制御信号Ｄ６０ａを第２の状態にし（図５（ｂ）に示すように、時刻ｔ２２に制御信号Ｄ６０ａをハイレベルからローレベルへ変化させ）、これにより、起動電圧供給を停止させる。
タイミング決定回路６２は次に、第２のスイッチ回路２２をオフ状態にするため、第２の制御信号Ｄ６０ｂを第２の状態にし（図５（ｃ）に示すように、時刻ｔ２３に制御信号Ｄ６０ｂをハイレベルからローレベルへ変化させ）、これにより、駆動電圧供給を停止させる。
【００７２】
動作決定回路６１及びタイミング決定回路６２を図３のように構成し、制御信号Ｄ６０ａ、Ｄ６０ｂを図５（ａ）〜（ｃ）に示すタイミングでローレベルに変化させることにより、第１のスイッチ回路２１及び第２のスイッチ回路２２を適切に制御することができ、スイッチング電源制御回路２４、スイッチング素子２６、起動電圧入力端子２４ａ、及び起動電圧用抵抗１６に損傷を与えずに、電気機器２を『通常動作状態から待機状態へ移行』させることができる。
【００７３】
なお、図５（ａ）〜（ｃ）の信号の極性は図２のスイッチ回路が用いられる場合に適切なものであり、信号の極性については実際に適用されるスイッチ回路の構成に合わせて変化させる必要があり、本発明は、図５（ａ）〜（ｃ）に示される信号の極性には限定されない。但し、信号の極性を変える場合にも、信号レベルの変化の順序、タイミングは、図５（ａ）〜（ｃ）を参照して説明したのと同様とすべきである。
【００７４】
図６（ａ）〜（ｄ）は本発明の実施の形態２において、電気機器２を『待機状態から通常動作状態へ移行』（スイッチング電源を停止状態から動作状態へ移行）させるときに、動作決定回路６１からタイミング決定回路６２に入力される動作指示信号Ｄ６１と、タイミング決定回路６２から第１のスイッチ回路２１に入力される制御信号Ｄ６０ａと、タイミング決定回路６２から第２のスイッチ回路２２に入力される制御信号Ｄ６０ｂと、電気機器２の状態を示す。
【００７５】
上記のように、スイッチング電源制御回路２４は、電源供給の開始時に交流電源４からの電圧を整流することで得られた電圧Ｖ４４を起動電圧として受けて、その立ち上がりを検出して、スイッチング素子２６のオンオフ制御を開始し、その後電圧Ｖ４８を駆動電圧として受けて定常的な動作を継続する。
【００７６】
スイッチング電源制御回路２４の起動電圧と駆動電圧には上記のような差異があることから、電気機器２を『待機状態から通常動作状態へ移行』（スイッチング電源を停止状態から動作状態へ移行）させるときに、起動電圧がスイッチング電源制御回路２４に印加され、その直後に駆動電圧が印加されるように制御しないと、
電気機器２が『待機状態から通常動作状態に移行』することができないだけでなく、
起動電圧入力端子２４ａに駆動用の大電流が流れて、スイッチング電源制御回路２４、スイッチング素子２６、起動電圧入力端子２４ａ、及び起動電圧用抵抗１６に損傷が与えられる可能性がある。
【００７７】
そこで、電気機器２を『待機状態から通常動作状態へ移行』するための命令Ｄ８ｎがパワーオンオフ入力手段８から入力され、動作決定回路６１がスイッチ回路２１、２２をオン状態にすべきことを示す信号を出力すると（図６（ａ）に示すように、時刻ｔ１１に制御指示信号Ｄ６１を第１の状態（ハイレベル）にすると）、タイミング決定回路６２は、まず、第２の制御信号Ｄ６０ｂを第１の状態に変化させ（図６（ｃ）に示すように時刻ｔ１２にローレベルからハイレベルに変化させ）、これにより、第２のスイッチ回路２２をオン状態にし、これにより、駆動電圧を直ちに供給開始できるようにする。
次にタイミング決定回路６２は、第１の制御信号Ｄ６０ａを第１の状態に変化させ（図６（ｂ）に示すように時刻ｔ１３にローレベルからハイレベルに変化させ）、これにより、第１のスイッチ回路２１をオン状態にし、これにより、起動電圧をスイッチング電源制御回路２４に供給できるようにする。
【００７８】
この動作によってスイッチング電源制御回路２４、スイッチング素子２６、起動電圧入力端子２４ａ、及び起動電圧用抵抗１６にストレスを加えることなく、電気機器２を『待機状態から通常動作状態に移行』させることができる。
電気機器２が通常動作状態になってから一定時間が経過した後、時刻ｔ１４に、タイミング決定回路６２は制御信号Ｄ６０ａをローレベルに変化させ（図６（ｂ））、スイッチング回路２１をオフ状態にする。これにより、スイッチング電源制御回路２４には起動電圧が入力されなくなるが、すでに駆動電圧の供給が開始されているので、スイッチング電源制御回路２４は通常動作状態を継続する。この状態では起動電圧抵抗１６に整流電圧Ｖ４４から電流が流れなくなり、第１のスイッチ回路２１に供給される制御信号がローレベルになるので、通常動作状態の電気機器２の消費電力をも抑制する効果が得られる。
【００７９】
動作決定回路６１及びタイミング決定回路６２を図３のように構成し、制御信号Ｄ６０ａ、Ｄ６０ｂの状態を図６（ａ）〜（ｃ）に示すタイミングで変化させることにより、図４（ａ）〜（ｃ）のように制御信号を発生する場合と同じ効果に加え、通常動作状態の電気機器２の消費電力を一層少なくすることができるという効果が得られる。
【００８０】
制御信号Ｄ６０ａ、Ｄ６０ｂを図６（ａ）〜（ｃ）に示すように変化させて、電気機器２を通常動作状態に移行させた場合、その状態から待機状態に移行させるときに、動作決定回路６１からタイミング決定回路６２に入力される動作指示信号Ｄ６１と、タイミング決定回路６２から第１のスイッチ回路２１に入力される制御信号Ｄ６０ａと、タイミング決定回路６２から第２のスイッチ回路２２に入力される制御信号Ｄ６０ｂと、電気機器２の状態の変化は図７（ａ）〜（ｄ）に示す如くである。
即ち、動作決定回路６１からの制御指示信号Ｄ６１が図７（ａ）に示されるように時刻ｔ２１にローレベルに変化したら、タイミング決定回路６２は、第２の制御信号Ｄ６０ｂをローレベルに切替えることで第２のスイッチ回路２２をオフ状態にし、これにより、時刻ｔ２３に、スイッチング電源制御回路２４への駆動電圧の入力を停止させる（図７（ｃ））。即ち、図７（ｂ）に示すように、制御信号Ｄ６０ａは図７（ｂ）に示すようにロー状態にあり、起動電圧は印加されていないので、そのままの状態を維持すればよい。
【００８１】
以上のように、実施の形態２によれば、実施の形態１に関して説明した利点に加えて、第１及び第２のスイッチ回路２１、２２に対する制御信号Ｄ６０ａ、Ｄ６０ｂを互いに独立にしたことによる付加的な利点が得られる。
実施の形態１に関して種々の変形が可能である旨説明したが同様の変形を実施の形態２にも加えることができる。
【符号の説明】
【００８２】
２  電気機器、  ４  交流電源、  ６  負荷回路、  ８  パワーオンオフ信号入力手段、  １０  電源供給装置、  １３  ダイオードブリッジ、  １４  コンデンサ、  １６  起動電圧用抵抗、  １８  スイッチングトランス、  ２１  第１のスイッチ回路、  ２２  第２のスイッチ回路、  ２４  スイッチング電源制御回路、  ２６  スイッチング素子、  ２８  ダイオード、  ２９  コンデンサ、  ３１  ダイオード、  ３２  コンデンサ、  ３６  ダイオード、  ３８  蓄電デバイス、  ４０  待機制御回路、  ４４  第１の整流回路、  ４６  第２の整流回路（負荷電圧発生用整流回路）、  ４８  第３の整流回路（駆動電圧発生用整流回路）、  ５０  スイッチング電源、  ５２  交流電源立ち上がり検出回路、  ６０  待機制御回路、  ６１  動作決定回路、  ６２  タイミング決定回路、  Ｒ１〜Ｒ７  抵抗、  Ｃ１  コンデンサ、  Ｔｒ１〜Ｔｒ３  トランジスタ、  Ｐｍｒ  フォト−ＭＯＳリレー。
【図１】
2015091203.tif 000003
【図２】
2015091203.tif 000004
【図３】
2015091203.tif 000005
【図４】
2015091203.tif 000006
【図５】
2015091203.tif 000007
【図６】
2015091203.tif 000008
【図７】
2015091203.tif 000009